(57)【要約】【課題】栽培容器の土壌中に、僅かな量の水を自動的に継続して滴下するようにして給水する。【解決手段】流量調整部７の押圧ローラ１２を適宜回動して上・下方へスライドさせることにより、給水チューブ６をケース１１の背面板１３に押し付ける圧縮力を調整し、滴下部８の滞留部２２へ滴下する水の流量を調整して、所定の流量の水が滞留部２２へ流下するよう設定し、且つ前記所定流量の水が滞留部２２へ流下して、該滞留部２２の下方部の水導入口２７より下方に滞留し、そして徐々に滞留して行く水３が、前記水導入口２７より上方に水位に達したときに、該水導入口２７に水３が流入して自動的に継続して土壌４中に滴下するようにして給水できるよう構成する。【選択図】図１
2013074831.tif 000002
【特許請求の範囲】
【請求項１】
栽培容器の側方に貯水タンクが設置され、且つ該貯水タンクに貯水された水を適宜量自動的に栽培容器の土壌中に滴下するようにして給水する給水装置が、前記貯水タンクと栽培容器間に配設され、前記給水装置は、前記貯水タンクの水中に、上流側を挿入した給水チューブの下流側に、給水流量を調整する流量調整部と、該流量調整部の下流側に、土壌中に差し込んで前記流量調整部によって調整された流量の水を滴下するようにした滴下部を備えて形成され、前記給水チューブは、小径の給水路を備えた弾力性を有する透明な合成樹脂により形成され、前記流量調整部は、前記給水チューブがケースを上下方向に挿通すると共に、該ケースに手動により回動して上下方向にスライドさせて、該給水チューブへの圧縮力を調整する押圧ローラが設置され、前記押圧ローラを下方へ回動してスライドさせて、前記給水チューブをケースの背面板に押し付けて徐々に圧縮力を強めて行くことにより、該給水チューブの給水路を徐々に狭めて下方に流下する水の流量を少なくして行き、前記押圧ローラが最下端に達したときに、該給水路が閉鎖されて給水が停止され、逆に前記押圧ローラが最上端に達したとき、給水チューブへの押圧ローラへの圧縮が完全に解除されて、前記給水路は全開し、水の流量が絞り込まれることなく流下するよう形成され、前記滴下部は、滞留部の上端が前記給水チューブの下流側端部に連結固定されると共に、該滞留部の下端部には土壌中に給水する給水管を備えた底板部が密嵌固定されて形成され、且つ該底板部は、上面に前記滴下部の下部内周壁面に密嵌固定する周壁を突設した基板の中央に、前記給水管の上端の水導入口が前記基板より上方部に位置するよう突設されると共に、前記給水管の下端の給水口から、前記滞留部に滞留している水のうち、前記水導入口より上方に滞留した水のみが、該水導入口より滴下するようにして土壌中に給水できるよう構成したことを特徴とする栽培容器における給水装置。
【発明の詳細な説明】
【技術分野】
【０００１】
本発明は、プランター、植木鉢や盆栽等の栽培容器に給水する給水装置に関するものである。
【背景技術】
【０００２】
従来、プランター、植木鉢や盆栽等の栽培容器に植えられた植栽物に給水するに際しては、じょうろ等により植栽物の上方から直接水を注ぎ給水していた。しかし、この方法では、旅行等のため長期間給水できない場合には、土が乾燥して植栽物が枯れてしまい、また、一度に多量の給水を行うと、土や養分が流出したり、根が腐ったりするという課題があった。
【０００３】
前記従来の課題を解決することを目的とする先行技術につき過去の特許文献を遡及検索したところ、下記の特許文献１に示すような、給水時期や給水量の管理が不要な植木鉢の給水装置が公知である。
【先行技術文献】
【特許文献】
【０００４】
【特許文献１】特開平８−１９６１５６号公報
【発明の概要】
【発明が解決しようとする課題】
【０００５】
前記特許文献１記載の給水装置は、貯水タンクに蓄えられた水は滴下管内に流入し、可変絞り部を通過して受水容器へ滴下し、該受水容器に一定量の水が貯まると、前記受水容器の重心位置が移動して、支持位置の周りに回転力が作用し、その回転力により受水容器が搖動して、該受水容器に溜まった水は給水槽へ放出され、そして、前記給水槽へ放出された水は給水帯に吸収され、チューブに形成された多数の給水孔を介して土へ供給されるよう構成されているが、受水容器の重心位置が移動するときまで、水は給水槽から土へ供給されないので、水を少量ずつ継続して土へ供給することができないという課題があった。
【０００６】
本発明は、前記課題を解決すべくなされたものであって、貯水タンクから給水チューブを介して、流量調整部によって設定された所定流量の水を滴下部の滞留部に流下して滞留させ、そして徐々に滞留して行く水が、前記流量調整部の水導入口より上方に水位に達したときに、該水導入口に水が流入して僅かな量の水が自動的に継続して土壌中に滴下するようにして給水されるようにした栽培容器における給水装置を提供しようとするものである。
【課題を解決するための手段】
【０００７】
本発明は、栽培容器の側方に貯水タンクが設置され、且つ該貯水タンクに貯水された水を適宜量自動的に栽培容器の土壌中に滴下するようにして給水する給水装置が、前記貯水タンクと栽培容器間に配設され、前記給水装置は、前記貯水タンクの水中に、上流側を挿入した給水チューブの下流側に、給水流量を調整する流量調整部と、該流量調整部の下流側に、土壌中に差し込んで前記流量調整部によって調整された流量の水を滴下するようにした滴下部を備えて形成され、前記給水チューブは、小径の給水路を備えた弾力性を有する透明な合成樹脂により形成され、前記流量調整部は、前記給水チューブがケースを上下方向に挿通すると共に、該ケースに手動により回動して上下方向にスライドさせて、該給水チューブへの圧縮力を調整する押圧ローラが設置され、前記押圧ローラを下方へ回動してスライドさせて、前記給水チューブをケースの背面板に押し付けて徐々に圧縮力を強めて行くことにより、該給水チューブの給水路を徐々に狭めて下方に流下する水の流量を少なくして行き、前記押圧ローラが最下端に達したときに、該給水路が閉鎖されて給水が停止され、逆に前記押圧ローラが最上端に達したとき、給水チューブへの押圧ローラへの圧縮が完全に解除されて、前記給水路は全開し、水の流量が絞り込まれることなく流下するよう形成され、前記滴下部は、滞留部の上端が前記給水チューブの下流側端部に連結固定されると共に、該滞留部の下端部には土壌中に給水する給水管を備えた底板部が密嵌固定されて形成され、且つ該底板部は、上面に前記滴下部の下部内周壁面に密嵌固定する周壁を突設した基板の中央に、前記給水管の上端の水導入口が前記基板より上方部に位置するよう突設されると共に、前記給水管の下端の給水口から、前記滞留部に滞留している水のうち、前記水導入口より上方に滞留した水のみが、該水導入口より滴下するようにして土壌中に給水できるよう構成するという手段を採用することにより、前記課題を解決した。
【発明の効果】
【０００８】
上記構成より成る本発明によれば、流量調整部の押圧ローラを適宜回動して上・下方へスライドさせることにより、給水チューブをケースの背面板に押し付ける圧縮力を調整して、滴下部の滞留部へ滴下する水の流量を調整して、所定の流量の水が滞留部へ流下するよう設定し、且つ前記所定流量の水が滞留部へ流下して、該滞留部の下方部の水導入口より下方に滞留し、そして徐々に滞留して行く水が、前記水導入口より上方に水位に達したときに、該水導入口に水が流入して自動的に継続して土壌中に滴下するようにして給水され、旅行等のため長期間給水できない場合にも、土が乾燥することもないので、植栽物が枯れる虞れもなく、また、一度に多量の給水を行うことがないので、土や養分が流出したり、根が腐ったりすることがないという優れた効果を奏することができる。
【図面の簡単な説明】
【０００９】
【図１】本発明栽培容器における給水装置を栽培容器（植木鉢）に設置した状態を示す全体の概略側面図である。
【図２】本発明栽培容器における給水装置を構成する給水チューブを貯水タンクに挿入した状態を示す要部の断面図である。
【図３】本発明栽培容器における給水装置を構成する流量調整部の要部の正面図である。
【図４】本発明栽培容器における給水装置を構成する流量調整部の縦断面斜視図である。
【図５】本発明栽培容器における給水装置を構成する流量調整部の押圧ローラの作動状態を示す縦断面図である。
【図６】本発明栽培容器における給水装置を構成する流量調整部の押圧ローラの作動状態を示す縦断面図である。
【図７】本発明栽培容器における給水装置を構成する流量調整部の押圧ローラの作動状態を示す縦断面図である。
【図８】本発明栽培容器における給水装置を構成する滴下部の一部を切り欠いて示す正面図である。
【図９】本発明栽培容器における給水装置を栽培容器（植木鉢）に設置した他の実施例を示す全体の概略側面図である。
【実施例】
【００１０】
本発明の実施例を図面に基づいて詳細に説明する。図１に示すように、栽培容器１（図においては、植木鉢が図示されている）の側方に設置されたテーブル等の架台Ｔ上に貯水タンク２が設置され、且つ該貯水タンク２に貯水された水３を適宜量自動的に栽培容器１の土壌４中に滴下するようにして給水する給水装置５が、前記貯水タンク２と栽培容器1間に配設されている。
【００１１】
前記給水装置５は、前記貯水タンク２の水３中に、上流側を挿入した給水チューブ６の下流側に、給水流量を調整する流量調整部７と、更に、該流量調整部７の下流側に、土壌４中に差し込んで前記流量調整部７によって調整された流量の水３を滴下するようにして、前記土壌４中に給水する滴下部８を備えて形成されている。
【００１２】
前記給水チューブ６は、小径の給水路９を備えた弾力性を有する合成樹脂製、好ましくは、流下する水３が外部より視認できるように透明なポリエチレン製のものを使用することが推奨され、更に前記貯水タンク２内に挿入する給水チューブ６の下流側の基端部外周面には、図２に示すように、給水チューブ６の下流側が該貯水タンク２内の水３中に深く沈下できるように、錘１０を周設することが推奨される。
【００１３】
前記給水チューブ６の下流側に配設される流量調整部７は、前記給水タンク２から栽培容器１の土壌４への給水量を手動で調整できるように形成されている。すなわち、流量調整部７は、前記給水チューブ６がケース１１を上下方向に挿通すると共に、該ケース１１に手動により回動して上下方向にスライドさせて、該給水チューブ６への圧縮力を調整する押圧ローラ１２が設置され、前記押圧ローラ１２を下方へ回動してスライドさせて、前記給水チューブ６をケース１１の背面板１３に押し付けて徐々に圧縮力を強めて行くことにより、該給水チューブ６の給水路９を徐々に狭めて下方に流下する水３の流量を少なくして行き、前記押圧ローラ１２が最下端に達したときに、該給水路９が閉鎖されて給水が停止され、逆に前記押圧ローラ１２が前記ケース１１の最上端に達したとき、給水チューブ６への押圧ローラ１２への圧縮が完全に解除されて、前記給水路９は全開し、水３の流量が絞り込まれることなく流下するよう構成されている。
【００１４】
前記流量調整部７は、特に限定する必要はないが、好ましくは図３〜図７  に示す構成とすることが推奨される。すなわち、流量調整部７は、正面側に縦長状開口部１４を開口したケース１１の上端に、前記給水チューブ６の上部挿通口１５を備えると共に、該ケース１１の下端に該給水チューブ６の下部挿通口１５を備え、且つ前記ケース１１の両側壁１７の内側面に、前記押圧ローラ１２の両側に突設した案内軸１８が摺接して回動する倒凹状のガイド凹部１９が垂直方向にそれぞれ対向して設けられ、且つ該ガイド凹部１９は上方部が広巾部２０に形成される一方、前記背面板１３は、該広巾部２０の近傍より下端近傍まで、上方側が巾広で下方へ行くに従い漸次小巾となる長凹溝２１を備えて形成されている。
【００１５】
前記構成より成る流量調整部７の上部挿通口１５から下部挿通口１６を経て給水チューブ６を挿通すると共に、該給水チューブ６をケース８の背面板１３と押圧ローラ１２で挟み込んで挟持し、前記ガイド凹部１９に沿って押圧ローラ１２の案内軸１８が摺接して回動することにより、該押圧ローラ１２と前記背面板１３間に挟持された給水チューブ６に対する圧縮力を調整して、該給水路９を狭めたり、拡げたりして水３の流下量を調整する。
【００１６】
なお、押圧ローラ１２の給水チューブ６に対する圧縮力の調整について説明すると、図５に示すように、押圧ローラ１２がケース１１の縦長状開口部１３の上端に位置したときは、該押圧ローラ１２の案内軸１８がガイド凹部１９の広巾部２０に位置して、前記押圧ローラ１２が正面側（図５の左側）へ移動するので、給水チューブ６に対する圧縮状態が解除されるので、給水路９が解放され水３は流量が制限されることなく流下する。
【００１７】
そして、図５の状態から、前記押圧ローラ１２を下方へ回動させることにより、押圧ローラ１２と背面板１３間に挟持された給水チューブ６は、図６に示すように、上方側が巾広で下方へ行くに従い漸次小巾となる長凹溝２１によって、該押圧ローラ１２の圧縮力が給水チューブ６に上方から下方へ行くに従い徐々に大きくなり（図６において、給水チューブ６は半開の状態となっている）となり、最後に、図７に示すように、押圧ローラ１２がケース１１の縦長状開口部１４の下端に位置したときは、前記背面板１３の長凹溝２１より外れるので、前記押圧ローラ１２の給水チューブ６に対する圧縮状態が最大となり、給水路９が閉鎖され水３の流下は停止する。
【００１８】
前記構成より成る流量調整部７を装置した給水チューブ６の下流側端部には、前記流量調整部７によって調整された流量の水３を、栽培容器1の土壌４中に滴下する滴下部８が連結されている。前記滴下部８は、流下した水３を滞留させる長筒状の滞留部２２を備えているが、該滞留部２２は水３が滞留している状態が外部より視認できるように、透明なプラスチックにより形成することが好ましい。
【００１９】
そして、前記滴下部８は、滞留部２２の上端が前記給水チューブ６の下流側端部に連結固定されていると共に、該滞留部２２の下端部には土壌４中に給水する給水管２３を備えた底板部２４が密嵌固定されて形成されている。前記底板部２４は、上面に前記滞留部２２の下部内周壁面に密嵌固定する周壁２５を突設した基板２６の中央に、前記給水管２３の上端の水導入口２７が前記基板２６より上方部に位置するよう突設されると共に、前記給水管２３の下方部は土壌４中へ差し込み易いように径小に形成され、且つ該給水管２３の下端の給水口２８から、前記滞留部２２に滞留している水３のうち、前記水導入口２７より上方に滞留した水３のみが、該水導入口２７より滴下するようにして土壌４中に給水できるよう構成されている。
【００２０】
なお、前記土壌４中に差し込んだ場所以外にも給水したい場合、あるいは他の植木鉢にも同時に注水したい場合は、図９に示すように前記給水管２３に分岐給水管２９を設置すればよい。この場合、開閉弁３０を分岐給水管２９に設置して、該分岐給水管２９を使用しないときは、開閉弁３０を閉鎖すればよい。
【００２１】
前記構成より成る本発明によれば、栽培容器１の側方に設置された貯水タンク２に貯水された水３中に、給水チューブ６の上流側を挿入すると共に、滴下部８の給水管２３の下端部を土壌４中へ差し込み、然る後、流量調整部７の押圧ローラ１２を適宜回動して上・下方へスライドさせることにより、給水チューブ６をケース１１の背面板１３および長凹溝２１に押し付ける圧縮力を調整して、滴下部８の滞留部２２へ滴下する水３の流量を調整して、所定の流量の水３が滞留部２２へ流下するよう設定する。これにより、所定流量の水３が滞留部２２へ流下して、該滞留部２２の下方部の水導入口２７より下方に滞留し、そして徐々に上方に滞留して行く水３が、前記水導入口２７より上方に水位が達したときに、該水導入口２７に水３が流入して土壌４中に給水されるので、僅かな量の水３が自動的に継続して土壌４中に滴下するようにして給水される。また、滞留部２２を透明にしておけば、水３が滞留部２２に滞留していることが確認でき、貯水タンク２への水３の補給時期の確認ができる。
【符号の説明】
【００２２】
１  栽培容器
２  貯水タンク
３  水
４  土壌
５  給水装置
６  給水チューブ
７  流量調整部
８  滴下部
９  給水路
１０  錘
１１  ケース
１２  押圧ローラ
１３  背面板
１４  縦長状開口部
１５  上部挿通部
１６  下部挿通部
１７  側壁
１８  案内軸
１９  ガイド凹部
２０  広巾部
２１  長凹溝
２２  滞留部
２３  給水管
２４  底板部
２５  周壁
２６  基板
２７  水導入口
２８  給水口
２９  分岐給水管
３０  開閉弁
Ｔ    架台
【図１】
2013074831.tif 000003
【図２】
2013074831.tif 000004
【図３】
2013074831.tif 000005
【図４】
2013074831.tif 000006
【図５】
2013074831.tif 000007
【図６】
2013074831.tif 000008
【図７】
2013074831.tif 000009
【図８】
2013074831.tif 000010
【図９】
2013074831.tif 000011